(57)【要約】      （修正有）【課題】被介護者の排泄物の水分などから生ずる各種菌の繁殖に対する抗菌性効果を高めた抗菌性を有する医療用防水敷きシーツを提供する。【解決手段】銀の１ミクロン以下超微粉を混入した７０Ｄ／２４Ｆ〜１４０Ｄ／４８Ｆのナイロン糸を２０〜４０％と７０Ｄ／２４Ｆ〜１４０Ｄ／４８Ｆのポリエステル糸を８０〜６０％にて丸編みした編地Ａ，Ｂを０．０５〜０．１５ｍ／ｍ厚のポリウレタンフィルム３の両面に接着剤４にて加熱、加圧して積層接着してなる医療用防水敷きシーツ。【選択図】        図４
2005046294.tif 000002
【特許請求の範囲】
【請求項１】
銀の１ミクロン以下超微粉を混入したナイロンフィラメント使用の７０Ｄ／２４Ｆ〜１４０Ｄ／４８Ｆのナイロン糸を２０〜４０％と通常のポリエステル１００％の７０Ｄ／２４Ｆ〜１４０Ｄ／４８Ｆのポリエステル糸を８０〜６０％使用して２８ゲージ〜３２ゲージに丸編した編地を０．０５〜０．１５ｍ／ｍ厚のポリウレタンフィルムの両面へ夫々ポリウレタン樹脂を介在して加熱、加圧して積層接着してなる防水敷きシートにて、病原菌の繁殖抑制及び消臭効果を高め、永続させたことを特徴とする抗菌性を有する医療用防水敷きシーツ。
【発明の詳細な説明】
【技術分野】
【０００１】
本発明は、抗菌性を有する医療用防水敷きシーツに関し、詳しくは銀の超微粉を含有するナイロン糸にて編組した防水敷きシーツにて、被介護者の排泄物の水分などから生ずる各種菌の繁殖に対する抗菌性効果を高めた抗菌性を有する医療用防水敷きシーツに関するものである。
【背景技術】
【０００２】
長寿社会を迎え、寝たきり老人が年々増加して来ている。そして、これら被介護者が就床しているベッドには、腰部に当たる位置にもう一枚の医療用防水敷きシーツが必要とされる場合が多い。
【０００３】
しかして、この従来の防水敷きシーツにも、被介護者の発汗、体液、排泄物の水分が敷布団やマットレスに浸透していかないようには工夫が施されている。
【０００４】
即ち、防水敷きシーツの芯にはポリウレタンフィルムが使用され、その上に編地が接着されて構成されている。したがって、ポリウレタンフィルムにて被介護者の排泄物の水分が敷布団、マットレスなどに浸透していくということはなかった。
【０００５】
しかしながら、防水敷きシーツ自体に抗菌性、消臭性を発揮するようには配慮されていなかった。したがって、病原菌の繁殖抑制及び消臭効果に大きな問題点があった。
【特許文献１】特開平７−３９５６４
【発明の開示】
【発明が解決しようとする課題】
【０００６】
本発明の防水敷きシーツは、銀の超微粉を含有するナイロン糸にて丸編みした編地を使用することによって上記問題点を解決した。所謂、本発明は銀イオンによる病原菌の繁殖抑制及び消臭効果を持たせた医療用シーツの研究開発に成功した。したがって、従来の問題点を完全に解決できた。
【課題を解決するための手段】
【０００７】
本発明は上記課題を解決するためになされたものであって、その要旨とするところは、銀の１ミクロン以下超微粉を混入したナイロンフィラメント使用の７０Ｄ／２４Ｆ〜１４０Ｄ／４８Ｆのナイロン糸を２０〜４０％と通常のポリエステル１００％の７０Ｄ／２４Ｆ〜１４０Ｄ／４８Ｆのポリエステル糸を８０〜６０％使用して２８ゲージ〜３２ゲージに丸編みした編地を０．０５〜０．１５ｍ／ｍ厚のポリウレタンフィルムの両面へ夫々ポリウレタン樹脂を介在して加熱、加圧して積層接着してなる防水敷きシートにて、病原菌の繁殖抑制及び消臭効果を高め、永続させたことを特徴とする抗菌性を有する医療用防水敷きシーツに関するものである。
【発明の効果】
【０００８】
本発明の医療用防水敷きシーツは、銀の超微粉を含有するナイロン糸を２０〜４０％と、他には通常のポリエステル糸を８０〜６０％とで丸編みした編地をポリウレタンフィルムの両面に接着剤にて加熱、加圧して積層接着してなる。したがって、抗菌性を強め、消臭効果、耐洗濯性、耐乾燥性を高めた防水敷きシーツで人体から発する汗、体液、排泄物の水分を一時的に保持し、敷布団、敷マットレス等に通しにくい機能を有する。
【０００９】
また、各種菌の繁殖に対して抗菌性効果大で、特に病原菌としてはＭＲＳＡ、黄色ブドウ球菌、肺炎桿菌、大腸菌などに対して抗菌効果が顕著である。且又菌の繁殖による異臭の増大を防止する。
【００１０】
【表１】
2005046294.tif 000003
【００１１】
【表２】
2005046294.tif 000004
【００１２】
【表３】
2005046294.tif 000005
【００１３】
【表４】
2005046294.tif 000006
【００１４】
【表５】
2005046294.tif 000007
【００１５】
本発明の医療用防水敷きシーツは、ポリウレタンフィルムの両面に銀１ミクロン以下の超微粉を含有するナイロン糸にて丸編みした編地が接着してあるから、防水敷きシーツの両面を使用でき、甚だ利便性、経済性に富み実用上有益である。
【発明を実施するための最良の形態】
【００１６】
本発明の抗菌性を有する医療用防水敷きシーツの実施例を別紙図面を参照しながら詳細に説明する。
【実施例】
【００１７】
図４に於て、Ａは銀の超微粉２を含有するナイロン糸１を２０〜４０％と、他の通常のポリエステル糸８０〜６０％とで丸編みしてなる編地である。
【００１８】
上記編地Ａについて、さらに詳しく述べると、銀１ミクロン以下の超微粉２を混入したナイロンフィラメント使用の、所謂７０Ｄ／２４Ｆ〜１４０Ｄ／４８Ｆのナイロン糸１を２０〜４０％と、通常のポリエステル糸を８０〜６０％を使用して２８ゲージ〜３２ゲージに丸編みしてなる編地である。
【００１９】
編地Ａを丸編み生地を利用するのは編地にソフト感が出し易く、然も内部の剥がれも周囲への伸びがあるため、ポリウレタンフィルム３からの剥離が起こり難いためである。また、ナイロン糸１を使用した理由は、ナイロン糸１には親水性があるので、水分の吸収により、銀の超微粉２より銀イオンの発生が容易ゆえである。
【００２０】
さらに、銀の超微粉２入りナイロン糸１を２０〜４０％迄に限定したのは、ナイロン糸１が４０％以上使用すると価格が上がり過ぎるばかりでなく、製品使用者が特異体質の場合、皮膚障害が起こることも考えられるからである。
【００２１】
図４に於て、３は０．５〜０．１５ｍ／ｍ厚のポリウレタンフィルムであって、このポリウレタンフィルム３の両面へ上記編地Ａ、Ｂを夫々馴染みの良い（相性の良い）ポリウレタン系の接着剤４、４を使用して加熱、加圧して積層接着して、本発明の抗菌性を有する医療用防水敷きシーツは構成されるものである。
なお、上記加工を詳しく述べると以下の通りである。
加圧は２．５〜３．０ｋｇ／ｍ２加熱は７５〜８５度Ｃ、時間は０．９ｍ〜１．０ｍ／１分（加圧ローラー、加圧ベルト使用して連続移動。
【００２２】
上記本発明の医療用防水敷きシーツの強度は下記の通りである。
１．    耐水度：１５００ｍ／ｍ以上（ＪＩＳＬ１０９２）
２．    透湿度：１，０００ｇ／ｍ２／２４ｈ以上（ＪＩＳＬ１０９９）
３．    完成厚み：０．５〜０．７５ｍ／ｍ（ダイヤルゲージによる）
４．    完成重量：２００〜３３０ｇ／ｍ２（１０ｃｍ×１０ｃｍ換算法）
５．    洗濯回数：安全率を見て１００回は耐える事が可能。水洗いの条件です。
ドライクリーニングは不適です。
【００２３】
上記の様に構成された医療用防水敷きシーツを図５、６の様にマットレス５の略中央部に敷設して両端部をマットレス５に巻き込みする。
また、同じく敷布団６の場合にも略中央部に敷いて両端部を敷布団に巻き込みする。
なお、図７はベッドＣのマットレス５に本発明の防水敷きシーツを敷いた状態を示すものである。
【産業上の利用可能性】
【００２４】
本発明の防水敷きシーツは医療用に限られず一般の敷布団、マットレスなどの全面を覆う防水敷きシーツとしても利用可能である。
【００２５】
また、ストレッチャーなどの敷きカバー或いは異常な汚れなどが付く枕カバー、さらに身体から多く発生する汚物、体液などで汚れる敷物カバーなど広範囲に亘って産業上利用可能な防水敷きシーツである。
【図面の簡単な説明】
【００２６】
【図１】本発明のナイロン糸に銀の超微粉が含有している状態を示す参考説明図である。
【図２】本発明の編地の参考斜視図である。
【図３】本発明の防水敷きシーツの参考斜視図である。
【図４】図３Ａ−Ａ縦断面図である。
【図５】本発明の防水敷きシーツをマットレスに敷いた状態を示す斜視図である。
【図６】本発明の防水敷きシーツを敷布団に敷いた状態を示す斜視図である。
【図７】本発明をベッドに使用した状態を示す参考斜視図である。
【符号の説明】
【００２７】
１      ナイロン糸
２      銀の超微粉
３      ポリウレタンフィルム
４      接着剤
５      マットレス
６      敷布団
Ａ      編地
Ｂ      編地
Ｃ      ベッド
Ｄ      防水敷きシーツ
【図１】
2005046294.tif 000008
【図２】
2005046294.tif 000009
【図３】
2005046294.tif 000010
【図４】
2005046294.tif 000011
【図５】
2005046294.tif 000012
【図６】
2005046294.tif 000013
【図７】
2005046294.tif 000014